(57)【要約】【課題】  使い捨てのカバーを被着することによって、煩わしかった空調装置のフィルタ洗浄作業を不要にすることができ、また、廃棄後に分解されて環境にも優しく、また、要に応じて、帯電性を付加することにより塵埃を積極的に吸着することもできる空調装置の防塵構造およびそれに用いる防塵ネットカバーを提供すること。【解決手段】  生分解性繊維材料を織物、編物または不織布から成るメッシュ生地11を袋状に形成したネットカバー１を空調装置２の少なくともフィルタ21を配設した吸気口22を被覆しつゝ着脱自在に被着して、かつ、当該ネットカバー１の袋口部12に形成した締着部12ａによって空調装置２に止着し、空調装置２の運転によりフィルタ21を配設した吸気口22から吸気するとき、前記ネットカバー１におけるメッシュ生地11のメッシュ目11ａにおいて塵埃の通過を阻止できるように構成するという技術的手段を採用した。【選択図】  図２
2006300340.tif 000002
【特許請求の範囲】
【請求項１】
生分解性繊維材料を織物、編物または不織布から成るメッシュ生地11を袋状に形成したネットカバー１が空調装置２の少なくともフィルタ21が配設される吸気口22を被覆しつゝ着脱自在に被着され、かつ、当該ネットカバー１の袋口部12に形成された締着部12ａによって空調装置２に止着されており、
空調装置２の運転によりフィルタ21が配設される吸気口22から吸気するとき、前記ネットカバー１におけるメッシュ生地11のメッシュ目11ａにおいて塵埃の通過を阻止できるように構成したことを特徴とする空調装置の防塵構造。
【請求項２】
空調装置２の運転によりフィルタ21が配設される吸気口22から吸気するとき、ネットカバー１のメッシュ生地11のメッシュ目11ａにおける通気時に生じる空気摩擦により、当該ネットカバー１が帯電して塵埃を吸着可能にしたことを特徴とする請求項１記載の空調装置の防塵構造。
【請求項３】
空調装置２の少なくともフィルタ21が配設される吸気口22を被覆しつゝ着脱自在に被着可能なネットカバー１であって、
生分解性繊維材料を織物、編物または不織布から成るメッシュ生地11が袋状に形成され、かつ、袋口部12には前記空調装置２に止着可能な締着部12ａが形成されており、
空調装置２の運転により吸気口22から吸気するとき、前記ネットカバー１におけるメッシュ地11のメッシュ目11ａにおいて塵埃の通過を阻止できるように構成したことを特徴とする空調装置の防塵ネットカバー。
【請求項４】
ネットカバー１の生分解性繊維材料が、脂肪族ポリエステル系繊維材料であることを特徴とする請求項３記載の空調装置の防塵ネットカバー。
【請求項５】
ネットカバー１におけるメッシュ生地11に帯電性が付加されており、このメッシュ生地11のメッシュ目11ａに通気するとき、空気摩擦によって当該ネットカバー１が帯電して塵埃が吸着可能であることを特徴とする請求項３または４記載の空調装置の防塵ネットカバー。
【請求項６】
ネットカバー１におけるメッシュ生地11に含有または付着される帯電性材料が、ポリオレフィン系の有機微粒子、あるいは、アルミナ、チタニアなどの無機粉末であることを特徴とする請求項５記載の空調装置の防塵ネットカバー。
【請求項７】
ネットカバー１における袋口部12の締着部12ａは、伸縮性の輪ゴム部材が挿通して形成されていることを特徴とする請求項３〜６の何れか一つに記載の空調装置の防塵ネットカバー。
【請求項８】
ネットカバー１における少なくともメッシュ生地11を白色に形成したことを特徴とする請求項３〜７の何れか一つに記載の空調装置の防塵ネットカバー。
【発明の詳細な説明】
【技術分野】
【０００１】
本発明は、空調装置の防塵構造の改良、更に詳しくは、使い捨てのカバーを被着することによって、煩わしかった空調装置のフィルタ洗浄作業を不要にすることができ、また、廃棄後に分解されて環境にも優しく、また、要に応じて、帯電性を付加することにより塵埃を積極的に吸着することもできる空調装置の防塵構造およびそれに用いる防塵ネットカバーに関するものである。
【背景技術】
【０００２】
周知のとおり、室内を快適な状態にするためのエアコンや空気清浄機などの空調装置には、空気を取り入れるための吸気口が配設されており、かかる吸気口には、通常、装置内に塵埃が侵入するのを防止するためのフィルタが配設されている。
【０００３】
ところで、かかるフィルタには不可避的に塵埃が蓄積するため、目詰まりを起こして吸気障害を生じるおそれがあることから、頻繁に清掃する必要がある。
【０００４】
しかしながら、かかる清掃作業は、フィルタの取付構造が複雑であって（例えば、特許文献１参照）、脱着に手間取ったり、また、洗浄後に再び装置に付け直す際には、フィルタを乾燥させるための時間もかかることから、非常に煩わしく面倒であるという不満があった。
【特許文献１】実開平７−４１３４９号公報（第２−５頁、図１）
【発明の開示】
【発明が解決しようとする課題】
【０００５】
本発明は、従来の空調装置に上記のような問題があったことに鑑みて為されたものであり、使い捨てのカバーを被着することによって、煩わしかった空調装置のフィルタ洗浄作業を不要にすることができる空調装置の防塵構造を提供することを技術的課題とする。
【０００６】
また、本発明は、廃棄後に分解されて環境にも優しく、また、要に応じて、帯電性を付加することにより塵埃を積極的に吸着することもできる空調装置の防塵ネットカバーを提供することを技術的課題とする。
【課題を解決するための手段】
【０００７】
本発明者が上記課題を解決するために採用した手段を添付図面を参照して説明すれば次のとおりである。
【０００８】
即ち、本発明は、生分解性繊維材料を織物、編物または不織布から成るメッシュ生地11を袋状に形成したネットカバー１を空調装置２の少なくともフィルタ21を配設した吸気口22を被覆しつゝ着脱自在に被着して、かつ、当該ネットカバー１の袋口部12に形成した締着部12ａによって空調装置２に止着し、
空調装置２の運転によりフィルタ21を配設した吸気口22から吸気するとき、前記ネットカバー１におけるメッシュ生地11のメッシュ目11ａにおいて塵埃の通過を阻止できるように構成するという技術的手段を採用したことによって空調装置の防塵構造を完成させた。
【０００９】
また、本発明は、上記課題を解決するために、必要に応じて上記手段に加え、空調装置２の運転によりフィルタ21を配設した吸気口22から吸気するとき、ネットカバー１のメッシュ生地11のメッシュ目11ａにおける通気時に生じる空気摩擦により、当該ネットカバー１を帯電せしめて塵埃を吸着可能にするという技術的手段を採用した。
【００１０】
また、本発明は、空調装置２の少なくともフィルタ21が配設される吸気口22を被覆しつつ着脱自在に被着可能なネットカバー１であって、
生分解性繊維材料を織物、編物または不織布から成るメッシュ生地11が袋状に形成され、かつ、袋口部12には前記空調装置２に止着可能な締着部12ａを形成し、
空調装置２の運転により吸気口22から吸気するとき、前記ネットカバー１におけるメッシュ地11のメッシュ目11ａにおいて塵埃の通過を阻止できるように構成するという技術的手段を採用したことによって空調装置の防塵ネットカバーを完成させた。
【００１１】
また、本発明は、上記課題を解決するために、必要に応じて上記手段に加え、ネットカバー１の生分解性繊維材料を、脂肪族ポリエステル系繊維材料にするという技術的手段を採用した。
【００１２】
また、本発明は、上記課題を解決するために、必要に応じて上記手段に加え、ネットカバー１におけるメッシュ生地11に帯電性を付加して、このメッシュ生地11のメッシュ目11ａに通気するとき、空気摩擦によって当該ネットカバー１が帯電して塵埃を吸着可能にするという技術的手段を採用した。
【００１３】
更にまた、本発明は、上記課題を解決するために、必要に応じて上記手段に加え、ネットカバー１におけるメッシュ生地11に含有または付着せしめる帯電性材料を、ポリオレフィン系の有機微粒子、あるいは、アルミナ、チタニアなどの無機粉末にするという技術的手段を採用した。
【００１４】
更にまた、本発明は、上記課題を解決するために、必要に応じて上記手段に加え、ネットカバー１における袋口部12の締着部12ａを、伸縮性の輪ゴム部材を挿通して形成するという技術的手段を採用した。
【００１５】
更にまた、本発明は、上記課題を解決するために、必要に応じて上記手段に加え、ネットカバー１における少なくともメッシュ生地11を白色に形成するという技術的手段を採用した。
【発明の効果】
【００１６】
本発明の防塵構造にあっては、生分解性繊維材料を織物、編物または不織布から成るメッシュ生地を袋状に形成したネットカバーを空調装置の少なくとも吸気口を被覆しつゝ着脱自在に被着して、かつ、当該ネットカバーの袋口部に形成した締着部により空調装置に止着したことによって、空調装置の運転により吸気口から吸気するとき、前記ネットカバーにおけるメッシュ生地のメッシュ目において塵埃の通過を阻止できる。
【００１７】
また、使い捨て式に構成した本発明の防塵ネットカバーは、簡単に脱着して空調装置本体に被せることができるので、煩わしかった空調装置のフィルタ洗浄作業を不要にすることができるし、更にまた、廃棄後に分解されて環境にも優しく、また、要に応じて、帯電性を付加することにより塵埃を積極的に吸着することもできることから、実用的利用価値は頗る高いものがある。
【発明を実施するための最良の形態】
【００１８】
本発明を実施するための最良の形態を具体的に図示した図面に基づいて更に詳細に説明すると、次のとおりである。
【００１９】
本発明の実施形態を図１から図６に基づいて説明する。図中、符号１で指示するものはネットカバーであり、このネットカバー１は、生分解性繊維材料を織物、編物または不織布から成るメッシュ生地11が袋状に形成され、かつ、袋口部12には締着部12ａが形成されている（図１参照）。
【００２０】
本実施形態では、編物組織によりメッシュ目11ａを作製することによって、伸縮性の良い袋体を作製することができる。
【００２１】
また、符号２で指示するものは空調装置であり、この空調装置２は、エアコンや空気清浄機、クーラー、ヒーター、除湿機などであり、装置内に空気を取り入れるための吸気口22を備えており、この吸気口22に防塵用のフィルタ21が配設されている。
【００２２】
しかして、本発明における空調装置の防塵構造を構成するにあっては、まず、前記ネットカバー１を空調装置２（本実施形態では、壁掛け式のエアコン）の少なくともフィルタ21を配設した吸気口22に被覆しつゝ空調装置２の本体に被着する。
【００２３】
この際、ネットカバー１の袋口部12に形成された締着部12ａによって空調装置２に止着することができ（図２参照）、本実施形態では、ネットカバー１の締着部12ａを伸縮性の輪ゴム部材を挿通して形成することにより、この締着部12ａを拡げて、空調装置２の吸気口22のカバーを覆って（あるいは、後方に回し込んで装置全体を覆うように）止着することができる（図３参照）。
【００２４】
ここで、ネットカバー１の使用材料には、生分解性繊維材料を採用したことにより、使い捨て式にして使用後に廃棄処分する場合であっても、廃棄後は確実に分解されるため、環境汚染等の防止にも寄与することとなる。
【００２５】
なお、本実施形態では、ネットカバー１の生分解性繊維材料として、脂肪族ポリエステル系繊維材料を採用することができ、具体的には、ポリ乳酸系、ポリサクシネート系、ポリカプロラクトン系、デンプン／ポリビニルアルコール系、酢酸セルロース系の材料を採用することができる。
【００２６】
また、ポリエチレンアジペート、ポリ−３−ヒドロキシバリレート、ポリ−３−ヒドロキシブチレート、ポリ−３−ヒドロキシカプロレート等の微生物ポリエステルを採用することもできる。
【００２７】
なお、生分解性ポリエステルとしては、ポリ乳酸および／またはポリ乳酸を主体とする熱可塑性樹脂であることが好ましい。また、かかるポリ乳酸を主体とする熱可塑性樹脂としては、乳酸にε−カプロラクトンなどの環状ラクトン類、α−ヒドロキシ酪酸、α−ヒドロキシイソ酪酸、α−ヒドロキシ吉草酸などのα−オキシ酸類、エチレングリコール、１，４−ブタンジオールなどのグリコール類、コハク酸、セバシン酸などのジカルボン酸類が１種あるいは２種以上共重合されたものを用いることができる。
【００２８】
この際、共重合体には、ランダム共重合体および／またはブロック共重合体を用いることができるし、また、分子末端にカルボキシル基を持つ化合物でポリマー分子末端をエステル化処理することが好ましく、熱成形等の際の安定性を改善することが可能である。
【００２９】
以上のように形成したネットカバー１を空調装置２に被着することにより、この空調装置２の運転によりフィルタ21が配設される吸気口22から吸気するとき、前記ネットカバー１におけるメッシュ地11のメッシュ目11ａにおいて塵埃の通過を阻止できるように構成することができるのである。
【００３０】
本実施形態では、更に、必要に応じて、ネットカバー１におけるメッシュ生地11に帯電性を付加することにより、空調装置２の運転によりフィルタ21が配設される吸気口22から吸気するとき、ネットカバー１のメッシュ生地11のメッシュ目11ａにおける通気時に生じる空気摩擦により、当該ネットカバー１が帯電して塵埃を積極的に吸着可能にすることができ、室内をクリーンにすることもできる。
【００３１】
この際、ネットカバー１におけるメッシュ生地11に帯電性材料を含有または付着せしめるのであるが、かかる帯電性材料には、ポリオレフィン系の有機微粒子、あるいは、アルミナ、チタニアなどの無機粉末を採用することができる。
【００３２】
本実施形態において採用する有機微粒子の帯電性材料としては、ポリオレフィン系繊維材料として、ポリエチレン、ポリプロピレン、ポリブチレン、エチレン−ポリプロピレン共重合体、ポリスチレン、ポリブチレンテレフタレート、ポリテトラフルオロエチレン等を用いることができ、また、ポリエステル、ポリカーボネート、ナイロン、ポリ塩化ビニル、ポリ塩化ビニリデン、フッ素化ポリオレフィンなどが挙げられる。
【００３３】
この際、耐熱性、帯電性を向上させるために、これらのポリマーにヒンダードアミン、ヒンダードフェノール、脂肪族金属塩、各種結晶核剤などの添加剤を添加したものでもよく、好ましくは、ポリオレフィン、あるいは、上記添加剤を添加したポリオレフィンがよい。
【００３４】
そして、かかる帯電性物質を生分解性繊維に熱融着させるか、あるいは、スプレー等によって塗布して担持せしめることによって繊維材料に帯電性を付加せしめ、かかる繊維材料によってメッシュ生地11を作製して袋体を形成することができる。
【００３５】
なお、かかるメッシュ生地11には、通気以外にもコロナ放電などによって帯電せしめることも当然に可能である。
【００３６】
このように構成されたネットカバー１は、あらゆるタイプの空調装置２に簡単に脱着して被着することができ、例えば、図４に示すような天井埋め込み式のものや、図５に示すような床置き式のもの、あるいは、図６に示すような天井吊り式のものであっても、同様にして、ネットカバー１を空調装置２の少なくともフィルタ21が配設される吸気口22を被覆しつゝ着脱自在に被着することができ、空調装置２の運転によりフィルタ21が配設される吸気口22から吸気するとき、前記ネットカバー１におけるメッシュ生地11のメッシュ目11ａにおいて塵埃の通過を阻止する効果が得られる。
【００３７】
本発明は概ね上記のように構成されるが、図示の実施形態に限定されるものでは決してなく、「特許請求の範囲」の記載内において種々の変更が可能であって、例えば、ネットカバー１のメッシュ生地11は、編物に限らず、織物や不織布によってメッシュ目11ａを構成するものであっても良いし、また、袋口部12の締着部12ａには、ひも部材やベルクロ式ファスナなどを採用することもできる。
【００３８】
更にまた、ネットカバー１における少なくともメッシュ生地11を白色に形成することも可能であり、塵埃が多量に付着した汚れが見易く、交換時期が一目で分かるようにすることもでき、これら何れのものも本発明の技術的範囲に属する。
【図面の簡単な説明】
【００３９】
【図１】本発明の防塵ネットカバーを表わす全体斜視図である。
【図２】本発明の防塵構造を表わす全体斜視図である。
【図３】本発明の防塵構造を表わす全体側面図である。
【図４】本発明の防塵構造の実施変形例を表わす全体斜視図である。
【図５】本発明の防塵構造の実施変形例を表わす全体斜視図である。
【図６】本発明の防塵構造の実施変形例を表わす全体斜視図である。
【符号の説明】
【００４０】
１    ネットカバー
11    メッシュ生地
11ａ  メッシュ目
12    袋口部
12ａ  締着部
２    空調装置
21    フィルタ
22    吸気口
【図１】
2006300340.tif 000003
【図２】
2006300340.tif 000004
【図３】
2006300340.tif 000005
【図４】
2006300340.tif 000006
【図５】
2006300340.tif 000007
【図６】
2006300340.tif 000008